(57)【特許請求の範囲】
【請求項１】
建物で使用される電力使用量を検出するとともに、この検出した電力使用量を表示するエネルギーモニターシステムと、
建物内部の温度および外部の温度を測定し、これらの測定した温度に基づいて通気とエアコンとを自動制御する室内空調システムと、を備え、前記電力使用量を監視しつつ建物内の空調を制御するエネルギー・空調の総合管理システムであって、
前記室内空調システムは、
建物内部の温度および湿度を測定する温湿度情報取得手段と、
前記温湿度情報取得手段により測定された建物内部の温度および湿度に基づいて住宅内部における快適・不快を判定する快・不快判定手段と、
前記快・不快判定手段により不快と判定された場合前記前記空調システムによる通気とエアコンの自動制御を開始する制御手段と、
を有し、
前記エネルギーモニターシステムは、
居住者の操作によって、前記空調システムによる通気とエアコンの自動制御を強制終了し、任意の設定温度または運転モードでエアコン空調を開始する強制空調手段と、
居住者の操作によって前記強制空調手段によるエアコン空調が開始され、これに伴って電力が過剰に使用されていることを検出した際に、居住者に対して節電アドバイスを行うアドバイス手段と、
を有しており、
さらに、室内空調システムは、住宅内の各室それぞれの空調を個別に制御するように設定されており、
前記室内に外部の空気を取り込む外部空気取込手段と、
前記室の天井裏に室内の空気を引き込む空気引込手段と、
前記室の天井裏に引き込まれた空気を外部に排気する空気排気手段と、
前記室内に設けられたエアコンと、
前記室内の温度を検出する室内温度検出手段と、
前記室の天井付近の温度を検出する上方温度検出手段と、
外気温度を検出する外気温度検出手段と、
を備え、
前記制御手段は、居住者が前記強制空調手段を操作しない場合に、前記快・不快判定手段により不快と判定されると、
設定温度をＴｓｅｔとすると、
（１）前記上方温度検出手段によって検出された天井付近の温度が、前記室内温度検出手段によって検出された室内温度より所定温度ｄｔ以上高い場合において、
（１ａ）室内温度≧Ｔsetのとき、前記外部空気取込手段、前記空気引込手段、前記空気排気手段を運転し、前記エアコンを停止し、
（１ｂ）室内温度＜Ｔset かつ 外気温＜Ｔsetのとき、前記空気排気手段と前記外部空気取込手段を運転し、前記空気引込手段と前記エアコンを停止し、
（１ｃ）室内温度＜Ｔset かつ 外気温≧Ｔsetのとき、前記外部空気取込手段、前記空気引込手段、前記空気排気手段、前記エアコンを停止し、
（２）前記上方温度検出手段によって検出された天井付近の温度が、前記室内温度検出手段によって検出された室内温度より所定温度ｄｔ高い温度未満の場合において、
（２ａ）室内温度≧Ｔsetのとき、前記空気排気手段、前記外部空気取込手段、前記空気引込手段を運転し、前記エアコンを停止し、
（２ｂ）室内温度＜Ｔsetのとき、前記空気排気手段、前記外部空気取込手段、前記空気引込手段、前記エアコンを停止することを特徴とするエネルギー・空調の総合管理システム。
【請求項２】
請求項１に記載のエネルギー・空調の総合管理システムにおいて、
前記エネルギーモニターシステムは、居住者の操作によって開始された強制空調手段によるエアコン空調に伴う電力使用量と、予め設定された基準値とを比較して、過剰な電力使用量を算出する比較手段を更に有し、
前記アドバイス手段は、前記比較手段によって算出された過剰な電力使用量を低減するためのアドバイスを提示することを特徴とするエネルギー・空調の総合管理システム。
【請求項３】
請求項１または２に記載のエネルギー・空調の総合管理システムにおいて、
前記エネルギーモニターシステムは通信手段を含んで構成されており、この通信手段は、ネットワークを介して、居住者が使用する情報端末と接続されており、
前記情報端末は、ネットワークを介して、前記エネルギーモニターシステムの動作および前記室内空調システムの動作の少なくとも一つを操作可能に設定されている
ことを特徴とするエネルギー・空調の総合管理システム。
【請求項４】
請求項３に記載のエネルギー・空調の総合管理システムにおいて、
前記エネルギーモニターシステムは、前記強制空調手段によるエアコン空調に伴って電力が過剰に使用されていることを検出した際に、前記通信手段により、前記ネットワークを介して、前記情報端末に電力が過剰に使用されていることを通知し、
前記情報端末は、前記通知があった場合、前記強制空調手段によるエアコン空調に伴って電力が過剰に使用されていることを通知する通知手段を備える
ことを特徴とするエネルギー・空調の総合管理システム。
【発明の詳細な説明】
【技術分野】
【０００１】
本発明は、エネルギー・空調の総合管理システムに関する。
【背景技術】
【０００２】
トップライト（天窓）と、このトップライトの下方に設けられたシーリングファンを備えた空調設備の一例として、特許文献１に記載のものが知られている。
この空調設備では、室内温度と外気温とによって、シーリングファンの運転と天窓の開閉とを例えば以下のようにして制御している。
すなわち、設定温度をＴ℃とすると、
室内の上下の温度差がＴＤ℃以上の場合において、
室内温度≧Ｔ℃のとき、前記シーリングファンを運転するとともに前記天窓を開放し、
室内温度＜Ｔ℃かつ 外気温＜Ｔ℃のとき、前記シーリングファンを停止するとともに前記天窓を開放し、
室内温度＜Ｔ℃かつ 外気温≧Ｔ℃のとき、前記シーリングファンを停止するとともに前記天窓を閉鎖し、
室内の上下の温度差がＴＤ℃未満の場合において、
室内温度≧Ｔ℃のとき、前記シーリングファンを運転するとともに前記天窓を開放し、
室内温度＜Ｔ℃のとき、前記シーリングファンを停止するとともに前記天窓を閉鎖している。
【０００３】
また、建物における電気、ガス、水などのエネルギー消費量を計測するとともに、計測値などを表示することでエネルギー消費量の削減を誘導する計測管理システム及び管理サーバがあった（例えば、特許文献２参照）。ところで、住宅等の建物においては、快適な室内環境を提供するとともに、エネルギー消費量を削減することが望まれている。また、快適な室内環境には、個人差があることが知られている。例えば、夏の適温の目安は２８℃であるが、快適と感じる温度には、男女、年齢によって個人差がある。若者は低めを快適と感じる傾向がある一方で、年配の方は高めを快適と感じる傾向がある。また、男性に比べると女性は高めの温度を快適と感じる傾向がある。
【先行技術文献】
【特許文献】
【０００４】
【特許文献１】特開２００６−３４９３１８号公報
【特許文献２】特開２０１１−１１３４４８号公報
【発明の概要】
【発明が解決しようとする課題】
【０００５】
ところで、上記のような空調設備の制御では、住宅内全体の空調を前提としているため、住宅内の各室それぞれの空調を個別に制御できないという問題があった。また、各室が不快であるか否かの判定をし、不快な室毎の室内環境を調整することができず、更に、電力が過剰に使用されている場合に居住者が取るべき行動をアドバイスすることができないという問題があった。
【０００６】
本発明は上記事情に鑑みてなされたもので、エネルギーモニターシステムにより、電力使用量を監視しながら、室内空調システムによって、住宅内の各室それぞれの空調を個別に制御し、不快な室がある場合に、不快な室毎の室内環境を調整し、電力が過剰に使用されている場合に居住者が取るべき行動をアドバイスすることができるシステムを提供することを課題としている。
【課題を解決するための手段】
【０００７】
上記課題を解決するために、請求項１に記載の発明は、例えば、図１〜図１１に示すように、
建物で使用される電力使用量を検出するとともに、この検出した電力使用量を表示するエネルギーモニターシステム２００と、
建物内部の温度および外部の温度を測定し、これらの測定した温度に基づいて通気とエアコンとを自動制御する室内空調システム１００と、を備え、前記電力使用量を監視しつつ建物内の空調を制御するエネルギー・空調の総合管理システム３００であって、
前記室内空調システム１００は、
建物内部の温度および湿度を測定する温湿度情報取得手段１２，１７と、
前記温湿度情報取得手段１２，１７により測定された建物内部の温度および湿度に基づいて住宅内部における快適・不快を判定する快・不快判定手段１０と、
前記快・不快判定手段１０により不快と判定された場合、前記室内空調システムによる通気とエアコンの自動制御を開始する制御手段１０と、
を有し、
前記エネルギーモニターシステムは、
居住者の操作によって、前記室内空調システム１００による通気とエアコンの自動制御を強制終了し、任意の設定温度または運転モードでエアコン空調を開始する強制空調手段２１２，２１３と、
居住者の操作によって前記強制空調手段２１２，２１３によるエアコン空調が開始され、これに伴って電力が過剰に使用されていることを検出した際に、居住者に対して節電アドバイスを行うアドバイス手段２１１と、
を有しており、
さらに、室内空調システムは、住宅内の各室１，２，３それぞれの空調を個別に制御するように設定されており、
前記室１，２，３内に外部の空気を取り込む外部空気取込手段５と、
前記室１，２，３の天井裏に室内の空気を引き込む空気引込手段６と、
前記室１，２，３の天井裏に引き込まれた空気を外部に排気する空気排気手段７と、
前記室１，２，３内に設けられたエアコン８と、
前記室１，２，３内の温度を検出する室内温度検出手段１１と、
前記室１，２，３の天井付近の温度を検出する上方温度検出手段１２と、
外気温度を検出する外気温度検出手段１３と、を備え、
前記制御手段１０は、居住者が前記強制空調手段２１２，２１３を操作しない場合に、前記快・不快判定手段１０により不快と判定されると、
設定温度をＴｓｅｔとすると、
（１）前記上方温度検出手段１２によって検出された天井付近の温度が、前記室内温度検出手段１１によって検出された室内温度より所定温度ｄｔ以上高い場合において、
（１ａ）室内温度≧Ｔsetのとき、前記外部空気取込手段５、前記空気引込手段６、前記空気排気手段７を運転し、前記エアコン８を停止し、
（１ｂ）室内温度＜Ｔset かつ 外気温＜Ｔsetのとき、前記空気排気手段７と前記外部空気取込手段５を運転し、前記空気引込手段６と前記エアコン８を停止し、
（１ｃ）室内温度＜Ｔset かつ 外気温≧Ｔsetのとき、前記外部空気取込手段５、前記空気引込手段６、前記空気排気手段７、前記エアコン８を停止し、
（２）前記上方温度検出手段によって検出された天井付近の温度が、前記室内温度検出手段１１によって検出された室内温度より所定温度ｄｔ高い温度未満の場合において、
（２ａ）室内温度≧Ｔsetのとき、前記空気排気手段７、前記外部空気取込手段５、前記空気引込手段６を運転し、前記エアコン８を停止し、
（２ｂ）室内温度＜Ｔsetのとき、前記空気排気手段７、前記外部空気取込手段５、前記空気引込手段６、前記エアコン８を停止することを特徴とする。
【０００８】
請求項１に記載の発明によれば、前記快・不快判定手段１０により不快と判定された場合前記前記空調システムによる通気とエアコンの自動制御を開始するので、快適な室内環境に近づけることができ、居住者の操作によって、前記室内空調システム１００による通気とエアコンの自動制御を強制終了し、任意の設定温度または運転モードでエアコン空調を開始するので、居住者の要望に応じた室内環境に近づけることができる。
さらに、居住者の操作によって前記強制空調手段２１２，２１３によるエアコン空調が開始され、これに伴って電力が過剰に使用されていることを検出した際に、居住者に対して節電アドバイスを行うので、居住者が取るべき行動をアドバイスすることができる。
しかも、前記外部空気取込手段５と前記空気引込手段６とを、各室１，２，３ごとに制御するともに前記空気排気手段７を制御し、さらに、前記エアコン８を各室１，２，３毎に制御するので、設定温度、室内温度、外気温に基づいて、制御手段１０が、外部空気取込手段５、空気引込手段６、空気排気手段７、エアコン８の運転・停止を室１,２,３ごとに制御できる。
【０００９】
請求項２に記載の発明は、例えば、図６に示すように、
請求項１に記載のエネルギー・空調の総合管理システム３００において、
前記エネルギーモニターシステム２００は、居住者の操作によって開始された強制空調手段２１２，２１３によるエアコン空調に伴う電力使用量と、予め設定された基準値とを比較して、過剰な電力使用量を算出する比較手段２１３を更に有し、
前記アドバイス手段２１１は、前記比較手段２１３によって算出された過剰な電力使用量を低減するためのアドバイスを提示することを特徴とする。
【００１０】
請求項２に記載の発明によれば、前記アドバイス手段２１１は、前記比較手段２１３によって算出された過剰な電力使用量を低減するためのアドバイスを提示するので、予め設定された基準値を基準にしてアドバイスを居住者に提供できる。
【００１３】
請求項３に記載の発明は、例えば、図１，図２に示すように、
請求項１または２に記載のエネルギー・空調の総合管理システム３００において、
前記エネルギーモニターシステム２００は通信手段２１５を含んで構成されており、この通信手段２１５は、ネットワーク４０を介して、居住者が使用する情報端末３０と接続されており、
前記情報端末３０は、ネットワーク４０を介して、前記エネルギーモニターシステム２００の動作および前記室内空調システム１００の動作の少なくとも一つを操作可能に設定されている
ことを特徴とする。
【００１４】
請求項３に記載の発明によれば、前記情報端末３０が、ネットワーク４０を介して、前記エネルギーモニターシステム２００の動作および前記室内空調システム１００の動作の少なくとも一つを操作可能に設定されているので、外部からエネルギーモニターシステム２００によるエネルギー使用状況および室内空調システム１００の動作状況を知ることができ、エネルギーモニターシステムおよび室内空調システム１００の動作制御が可能となる。
【００１５】
請求項４に記載の発明は、例えば、図１に示すように、
請求項３に記載のエネルギー・空調の総合管理システム３００において、
前記エネルギーモニターシステム２００は、前記強制空調手段２１２，２１３によるエアコン空調に伴って電力が過剰に使用されていることを検出した際に、前記通信手段２１５により、前記ネットワーク４０を介して、前記情報端末３０に電力が過剰に使用されていることを通知し、
前記情報端末３０は、前記通知があった場合、前記強制空調手段２１２，２１３によるエアコン空調に伴って電力が過剰に使用されていることを通知する通知手段３０ａ，３０ｂを備える
ことを特徴とする。
【００１６】
請求項４に記載の発明によれば、前記情報端末３０は、前記通知があった場合、前記強制空調手段２１２，２１３によるエアコン空調に伴って電力が過剰に使用されていることを通知する通知手段３０ａ，３０ｂを備えるので、居住者は前記情報端末３０を所有することにより、電力が過剰に使用されていることを確実に知ることができる。
【発明の効果】
【００１７】
本発明によれば、電力使用量を監視しながら、住宅内の各室それぞれの空調を個別に制御し、不快な室がある場合に、不快な室毎の室内環境を調整し、電力が過剰に使用されている場合に居住者が取るべき行動をアドバイスすることができるエネルギー・空調の総合管理システムを提供することができる。
【図面の簡単な説明】
【００１８】
【図１】本発明に係るエネルギー・空調の総合管理システムの一例を示すもので、システムを構成する構成部材をその位置とともに示す概略図である。
【図２】同、システム構成を示すブロック図である。
【図３】同、外部空気取込手段を示す斜視図である。
【図４】同、空調システムのリモコンを示す正面図である。
【図５】同、温度条件による制御状態を示す表である。
【図６】本発明に係るエネルギーモニターシステムの機能ブロック図である。
【図７】本発明に係るエネルギーモニターシステムにおける発電装置等の構成例を示す図である。
【図８】本発明に係るエネルギーモニターシステムにおけるガスメータの構成例を示す図である。
【図９】本発明に係るエネルギーモニターシステムにおけるガスメータの構成例を示す図である。
【図１０】本発明に係るエネルギーモニターシステムの表示器の一例である。
【図１１】本発明に係るエネルギーモニターシステムにおける表示器に表示されるエリアモニター画面の一例である。
【発明を実施するための形態】
【００１９】
以下、図面を参照して本発明に係る室内空調システム１００とエネルギーモニターシステム２００とを備えるエネルギー・空調の総合管理システム３００について説明する。エネルギー・空調の総合管理システム３００は、建物で使用される前記電力使用量を監視しつつ建物内の空調を制御するシステムである。
【００２０】
本実施の形態においては、ＩＦ（インターフェース）１６０を介して、室内空調システム１００とエネルギーモニターシステム２００とが接続されている例について説明する。室内空調システム１００は、建物内部の温度および外部の温度を測定し、これらの測定した温度に基づいて通気とエアコンとを自動制御するシステムであり、エネルギーモニターシステム２００は、建物で使用される電力使用量を検出するとともに、この検出した電力使用量を表示するシステムである。本実施の形態においては、エネルギーモニターシステム２００が、室内空調システム１００を制御可能に構成されている。
【００２１】
（室内空調システム）
まず、室内空調システム１００の一例について説明する。
本実施の形態の室内空調システム１００は、図１および図２に示すように、住宅の各室１,２,３の室内空調をそれぞれ個別に制御するシステムである。室内空調システム１００は、各室１,２,３に、それぞれ外部の空気を取り込む外部空気取込手段５と、室１,２,３のそれぞれの天井裏１ａ,２ａ,３ａに室内の空気を引き込む空気引込手段６と、各室１,２,３の天井裏に引き込まれた空気を外部に排気する空気排気手段７と、室１,２,３のそれぞれに設けられたエアコン８と、温度センサ１２と、湿度センサ１７と、人感センサ１８と、スピーカーまたは表示部などの報知手段２０と、記憶手段２２と、外部空気取込手段５、空気引込手段６、エアコン８を、各室１,２,３ごとに制御するともに空気排気手段７を制御する制御手段１０とを備えている。温度センサ１２と湿度センサ１７とは、本発明の温室度情報取得手段に相当する。また、制御手段１０は、前記温湿度情報取得手段によって断続的に取得した温度および湿度に基づいて建物内部の各室における快・不快を判定する快適判定手段に相当する。
【００２２】
記憶手段２２は、快・不快を判定するための情報（式と閾値）を予め記憶している。例えば、制御手段１０は、快・不快を判定する条件として、室温（T℃）と湿度（H％）とに基づき不快指数を求めて、快・不快を判定する。不快指数（S）を求める式を次に示す。
S＝０．８１Ｔ＋０．０１Ｈ（０．９９Ｔ−１４．３）＋４６．３
【００２３】
制御手段１０は、例えば、不快指数が７５以下のとき快適と判断し、不快指数が７５を超えるとき不快と判断する。記憶手段２２には、上記式と閾値（７５）が予め記憶されており、制御手段１０は、不快指数が７５を超える室がある場合、不快と判定された室１，２，３を、居住者に報知手段２０で報知し、室内空調システム１００の外部による通気とエアコン８の自動制御を開始する。ここで、不快と判定された室１，２，３のうち人感センサ１８により人がいると検知された室の室内空調システム１００の外部による通気とエアコン８の自動制御を開始するようにするのが節電のために望ましい。制御手段１０は、室内空調システム１００の動作状態が変化する毎にＩＦ１６０を介して、エネルギーモニターシステム２００にその動作状態を示す信号を送信する。室内空調システム１００が停止している場合でも、待機状態として、温度センサ１２、湿度センサ１７、人感センサ１８等の各種センサと報知手段２０は駆動している。ここで、外部空気取込手段５と空気引込手段６とエアコン８とは、室１，２，３の室内環境を調整する室内環境調整手段２１に相当する。また、室内空調システム１００の運転が開始されると、室内空調システム１００の外部空気取込手段５と空気引込手段６と空気排気手段７とエアコン８とは、各種センサ１１，１２，１７，１８により検知された情報に従って制御手段１０により制御される。
【００２４】
また、各室１,２,３には、室１,２,３の温度を検出する室内温度検出手段１１と、室１,２,３の天井付近の温度を検出する上方温度検出手段１２と、室１，２，３の湿度を検知する湿度センサ１７と、居住者の有無を検知する人感センサ１８とが設けられており、これら室内温度検出手段１１と上方温度検出手段１２と湿度センサ１７と人感センサ１８とは前記制御手段１０に接続されている。
【００２５】
また、建物の１階の床下には、外気温を検出する外気温度検出手段１３が設けられており、この外気温度検出手段１３は制御手段１０に接続されている。
なお、図２において、制御手段１０に、室１および室２の外部空気取込手段５、空気引込手段６、エアコン８等を接続しているが、実際には、室３の外部空気取込手段５、空気引込手段６、エアコン８等も接続されている。
【００２６】
室１には、居住者が取るべき行動をアドバイスとして報知するための報知手段２０が取り付けられている。通信手段１９は、インターネット等のネットワーク４０と有線または無線にて接続されている。室内空調システム１００は、外部から気温および湿度等に係る情報を取得することができる。具体的には、制御手段１０が、通信手段１９を用いて、ネットワーク４０を介して、外部から建物存在する地域の気温および湿度に係る情報を入手して、これらの情報を報知手段２０に報知させることができる。例えば、外気温が３５度以上の場合は、制御手段１０は、「外気温が３５度以上となりました。外出時には、運動を控えて下さい。また、屋内にいる場合でも、エアコンを使用して、水分補給をしてください。」と報知手段２０に報知させる。
【００２７】
前記外部空気取込手段５は、例えば、各室１,２,３の外部に面する外壁に設けられた送風換気窓枠５によって構成されている。この送風換気窓枠５は、図３に示すように、矩形の窓枠を構成する横枠または縦枠もしくは双方に、外部の空気を取り込んで、室内に送風する送風孔５ａが所定間隔で複数設けられるとともに、窓枠内部にこの送風孔５ａを開閉する図示しない開閉部材が設けられてなるものであり、この開閉部材が前記制御手段１０によって開閉されるようになっている。また、窓枠内部に、外部の空気を送風孔５ａに吸い込んで室内に吹き出すための、ファンを設けてもよく、この場合、当該ファンの回転・停止が前記開閉部材とともに制御手段１０によって制御されるようになっている。
また、外部空気取込手段５としては、前記送風換気窓枠５に代えて、自動的に開閉可能な地窓を設けてもよい。この場合、この地窓の開閉が制御手段１０によって制御されるようになっている。
【００２８】
前記空気引込手段６は、図１に示すように、室１,２,３のそれぞれの天井裏１ａ,２ａ,３ａに設けられたファン６ａと、このファン６ａに対向して天井板に形成された開口部６ｂとから構成されている。そして、このファン６ａが前記制御手段１０によって回転・停止されるようになっている。なお、前記開口部６ｂには図示しないルーバが設けられており、室内から天井裏のファン６ａが見えないようになっている。
また、室２は１階に設けられているので、空気引込手段６によって室内２から天井裏２ａに引き込まれた空気は、室１と室２とを仕切る壁に設けられた吹出口１４から吹き出されて、室１内を上昇し、室１の空気引込手段６によって天井裏１ａに引き込まれるようになっている。室１は２階の天井まで吹き抜ける高天井室であり、その天井裏１ａは２階の室３の天井裏３ａと連通している。
【００２９】
前記空気排気手段７は、住宅の屋根棟部に設けられるとともに、内部が前記天井裏１ａ、３ａと連通している越屋根部１５内に設けられた大型のファン７ａと、越屋根部１５の壁に設けられた開口部７ｂとから構成されており、この開口部７ｂには雨の侵入を防止する図示しないガラリが設けられている。そして、大型のファン７ａの回転・停止が制御手段１０によって制御されるようになっている。なお、大型のファン７ａは前記ファン６ａより低速度で回転するが、ファン７ａが大型のため排気風量は大風量となっている。
また、空気排気手段７を運転し、かつ、空気引込手段６を停止した場合、室の空気は、空気排気手段７によって天井裏の空気が排気されるので、これに伴って、天井板に設けられた前記開口部６ｂから天井裏に自然と流入する。
【００３０】
前記室内温度検出手段１１は、例えば温度センサ１１によって構成されており、この温度センサ１１は室内空調システム１００用のリモコン１６に内蔵されている。
リモコン１６は制御手段１０に信号線によって接続され、これに内蔵されている温度センサ１１も信号線によって制御手段１０に接続されている。
また、リモコン１６は室内の壁面等に固定されている。例えば住宅の室１,２,３の壁に、照明スイッチ等とほぼ同じ高さ（床面から１ｍ〜１．５ｍ程度の高さ）に固定されている。このリモコン１６に温度センサ１１が内蔵されているので、この温度センサ１１によって室１,２,３の下部の温度を検出できるようになっている。
【００３１】
上方温度検出手段１２は、例えば温度センサ１２によって構成されており、この温度センサ１２は、図１に示すように、室１,２,３のそれぞれ天井板の下面に固定されている。したがって、この温度センサ１２によって天井付近の温度を検出することができるようになっている。また、温度センサ１２は、図２に示すように、信号線によって制御手段１０に接続されている。
外気温度検出手段１３は、例えば温度センサ１３によって構成されており、この温度センサ１３は、図１に示すように、１階の床下でかつ風通しのよい場所（換気台輪近く）に設置されている。したがって、この温度センサ１３によって外気温度を検出することができるようになっている。なお、温度センサ１３は、メンテナンス等を容易に行える床下収納庫付近に設置するのが望ましい。また、温度センサ１３は信号線によって制御手段１０に接続されている。
【００３２】
前記リモコン１６は、本実施の形態の住宅内の室内空調システム１００のON・OFF、システム設定温度の設定・変更の際に使用されるもので、図４に示すように、室内空調システム１００のON・OFFを行う運転／停止ボタン１６ａ、システム設定温度の設定・変更を行う温度ボタン１６ｂ、システム設定温度等を表示する液晶画面１６ｃ等を備えている。
本実施の形態の住宅内の室内空調システム１００を運転する場合、運転／停止ボタン１６ａを押し、運転／停止ボタン１６ａのランプ１６ｄが点灯するようにし、液晶画面１６ｃに現在の設定温度が表示され、外部空気取込手段５、空気引込手段６、空気排気手段７、エアコン８の運転が温度状況に合わせて自動的に制御されるようになっている。
住宅内の室内空調システム１００を停止させる場合、運転／停止ボタン１６ａを押し、運転／停止ボタン１６ａのランプ１６ｄが消灯するようにし、これによって、液晶画面１６ｃの表示が消え、外部空気取込手段５、空気引込手段６、空気排気手段７、エアコン８を停止するようになっている。
なお、リモコン１６は、室１,２,３にそれぞれ設置されているので、室１,２,３のいずれからも室内空調システム１００のON・OFFを行えるようになっている。
【００３３】
なお、前記リモコン１６の代わりに、温度センサ、画面３０ａおよびスピーカー３０ｂを備えた携帯型の情報端末３０を使用して、室内環境制御システムのON・OFFや、システム設定温度の設定・変更を行うようにしてもよい。画面３０ａおよびスピーカー３０ｂは、本発明の通知手段に相当する。
また、前記制御手段１０による制御中において、外部空気取込手段５、空気引込手段６、空気排気手段７、エアコン８は、それぞれの専用リモコンによってそれぞれ手動操作することができるが、すぐに制御状態に戻るようになっている。したがって、外部空気取込手段５、空気引込手段６、空気排気手段７、エアコン８をそれぞれ手動で操作したい場合、前記リモコン１６の運転／停止ボタン１６ａによって本システムを停止させてから、それぞれの専用リモコンによって手動操作する。
【００３４】
（エネルギーモニターシステム）
次に、図６を参照して、エネルギーモニターシステムの概要について説明する。
図６において、符号２０１は、複数のエリアにおいて使用される電力の使用量をそれぞれ検出すると共に、発電システムが発電した電力を検出する使用電力・発電電力検出部である。使用電力・発電電力検出部２０１は、電気が使用された場合に電力の使用量を計測し、太陽光発電システム、燃料電池、または、ガスから電気を発生する発電システム等の発電システムから発電された電力（発電電力）の発電量を計測する。符号２０３は、複数のエリアにおいて使用されるガスの使用量を検出するガス使用量検出部であり、符号２０５は、複数のエリアにおいて使用される水の使用量をそれぞれ検出する水使用量検出部であり、符号２０７は、パルスカウンターである。ここで、ガス使用量検出部２０３はガスの使用があった場合に使用量に応じたパルス信号をパルスカウンター２０７に出力する。水使用量検出部２０５は水の使用があった場合に使用量に応じたパルス信号をパルスカウンター２０７に出力する。そして、パルスカウンター２０７は、ガス使用量検出部２０３および水使用量検出部２０５から出力されるパルスをカウントしてガスの積算使用量および水の積算使用量をそれぞれ算出し、信号出力する。
【００３５】
次に、符号２１０は、表示器であり、表示部２１１と、操作部２１２と、制御部２１３と、記憶手段２１４と、通信手段２１５と、スピーカー２１６とから構成される。表示部２１１は、例えば、液晶画面で構成される。表示部２１１は、制御部２１３からの表示信号に応じた画像、または、室内空調システム１００から送信される信号に従って室内空調システム１００の動作状態を画面に表示する。表示部２１１は、例えば、各室１，２，３で動作している機器名とその消費電力、室温、湿度などを表示する。なお、画面の切替は操作部２１２を操作して行う。具体的には、表示部２１１は、前記複数のエリアのそれぞれに対応する複数の画像および室内空調システム１００の動作状態を画面内に表示し、使用電力・発電電力検出部２０１、ガス使用量検出部２０３および水使用量検出部２０５のいずれか一つで検出された現在の使用量を前記複数の画像内に表示する（図１１参照）。操作部２１２は、画面切り替えを行い、前記複数のエリアの各々に所定の使用量や所定の時間等の設定値を入力するためのボタン等が配置された操作手段であり、ユーザの操作に応じた操作信号を制御部２１３に出力する。記憶手段２１４は、表示部２１１に表示する複数の画像、電力使用量、発電量、ガスの使用量、水の使用量等の各種データを記憶する。通信手段２１５は、制御部２１３からの制御信号に応じて、画像の表示状態が変更された際に、異常があったことを通信回線を介して外部に通報する。図６では、通信手段２１５はネットワーク４０を介して情報端末３０に電子メール等で通報することを示している。インターネットとの接続は、有線または無線のいずれでもよい。
【００３６】
そして、これらの各室１，２，３に設置された機器による各資源の使用量が、使用電力・発電電力検出部２０１、ガス使用量検出部２０３、水使用量検出部２０５により検出されるように、配線、配管等が住宅の外部から内部へ行われている。更に、図６に示す表示器２１０は、室１の壁に設置されている。
【００３７】
図７において、発電システム２２０は太陽光発電システムであり、符号１５０は電気温水器１３０へ配線された電線と接続された増設ブレーカーを示す。発電システム２２０から出力された発電電力は、使用電力・発電電力検出部２０１へ入力される。使用電力・発電電力検出部２０１は、具体的には分電盤であり、発電システムの発電量を計測する。更に、使用電力・発電電力検出部２０１は、電気温水器１３０および各エリアへ配線された電線と接続され、各エリアで電気が使用された場合に各エリアの電力の使用量を計測する。そして、使用電力・発電電力検出部２０１は、表示器２１０へ電力使用量および発電電力量を電気信号に変換し、電気信号を信号線を介して表示器２１０に送信する。
【００３８】
図８において、パルス出力付ガスメータ１４０は、ガス会社から支給されるガスメータであり、パルスカウンターに接続されている。パルス出力付ガスメータ１４０は、ガス使用量検出部２０３を内蔵し、ガスの使用があった場合に使用量に応じたパルス信号をパルスカウンター２０７に出力する。そして、パルスカウンター２０７は、パルス出力付ガスメータ１４０から出力されるパルスをカウントしてガスの積算使用量を算出し、ガスの積算使用量を電気信号に変換し、電気信号を信号線を介して表示器２１０に送信する。ガスは、給湯用の他、ガスレンジ等の調理器用、ガスストーブ、床暖房等の空調用、燃料電池等の発電用などの複数の用途が考えられる。そして、それらのいずれかの用途としてガスを使用するエリアがガスのエリアに該当する。
【００３９】
図９において、符号１６０は水道メータを示し、符号１７０は主幹計測用水量センサを示し、符号１７１は給湯用水量センサを示し、符号１７３は端末用水量センサを示す。電気温水器１３０は配水管と接続されている。そして、給湯用水量センサ１７１は、電気温水器１３０へ給水する箇所と、浴室９０のシャワー９１、キッチン８０、洗面所１００、トイレ１１０の各エリアへ温水を電気温水器１３０から排出する箇所とに設置されている。水使用量検出部２０５は、これらの複数の水量センサから構成されている。そして、水使用量検出部２０５は、水の使用があった場合に使用量に応じたパルス信号をパルスカウンター２０７に出力する。そして、パルスカウンター２０７は、水使用量検出部２０５から出力されるパルスをカウントして水の積算使用量をそれぞれ算出し、各エリアにおける水の積算使用量を電気信号に変換し、電気信号を信号線を介して表示器２１０に送信する。
【００４０】
図１０は、表示器２１０の正面図を示す。表示器２１０では、左に表示部２１１が配置され、右に操作部２１２が配置されている。操作部２１２は、上下左右ボタン２１２ａ、決定ボタン２１２ｂ、戻るボタン２１２ｃ、切り替えボタン２１２ｄ、メニューボタン２１２ｅ、ＴＯＰボタン２１２ｆ、強制空調ボタン２１２ｇから構成される。ここで、切り替えボタン２１２ｄは、「電気」、「ガス」、「水道」のいずれかを選択するために使用される。メニューボタン２１２ｅを押すと、設定画面やその他のサブメニューが選択可能に表示部２１１に表示される。ＴＯＰボタン２１２ｆを押すと、予め設定した画像が表示される。なお、図１０の表示部２１１に示す画像は、ユーザがＴＯＰボタン２１２ｆを押したときに表示される発電状態を示す画面であり、発電システム２２０が待機中であることを示している。
【００４１】
図１０において、画面の右には、「発電」、「目標達成」、「エリア別」、「分岐別」の項目が表示されている。これらの項目は、上下左右ボタン２１２ａの上下方向のいずれかのボタンを押すことにより、選択可能である。
【００４２】
次に、図１１を参照して、電気の電力使用量等をエリア別に示すエリアモニター画面について説明する。
上下左右ボタン２１２ａを操作して「エリア別」を選択し、決定ボタン２１２ｂを押すと、エリアモニター画面に遷移し、エリア別の現在の電力使用量が表示される。ここで、表示部２１１には、正方形状の複数の画像が表示されており、これら複数の画像には、各室の具体例として、「リビング」、「ダイニング」、「キッチン」、「洗面所」、「浴室」、「寝室」、「玄関＆ホール」、「外部」、「電気温水器」、「トイレ」、「エアコン」、「子供部屋」のエリア名がそれぞれ現在の電力使用量とともに表示される。画面の右下には、室内空調システム１００が動作中であることが表示されている。ここで、各エリアに対して所定の使用量および所定の使用時間が予め設定され、記憶手段２１４に設定値が記憶されている。なお、操作部２１２により、各エリアに設定すべき所定の使用量および所定の使用時間をユーザが変更可能である。
【００４３】
図１１において、「洗面所」、「浴室」、「玄関＆ホール」、「外部」、「電気温水器」、「トイレ」は、所定の使用量未満の使用電力であり、白抜きの枠で囲まれている。
【００４４】
また、「リビング」、「ダイニング」、「キッチン」、「寝室」、「エアコン」、「子供部屋」の各画像は、所定の使用量以上の使用電力である場合の表示状態を示す。ここで、各画像は緑色の大きな画像であり、エリア名および現在の電力使用量が各画像内に表示されている。所定の使用量は、例えば、リビングが２００Ｗ、子供部屋が１５０Ｗに設定されている。制御部２１３は、「リビング」、「ダイニング」、「キッチン」、「寝室」、「エアコン」、「子供部屋」の各エリアに設定された所定の使用量を超えたと判断し、前記所定の使用量を超えたエリアの画像の表示状態を「白抜きの枠で囲まれた表示状態（現在の表示状態）」から「緑色の大きな画像（第１の表示状態）」に変更する。
【００４５】
このように、制御部２１３がエリアに設定された所定の使用量を超えたと判断したとき、前記所定の使用量を超えたエリアの画像の表示状態を現在の表示状態から第１の表示状態に制御部２１３が変更することにより、他のエリアの画像と異なる表示状態となるため、複数のエリアにおける資源の使用状態の良否についてユーザが容易に把握することができる。
【００４６】
ここで、「エアコン」の画像は、所定の使用量以上の使用電力である場合の他の表示状態を示す。ここで、「エアコン」の画像は、画像が大きくなり、オレンジ色の画像となっている。制御部２１３は、「エアコン」のエリアに設定された所定の使用量（例えば、ブレーカー容量の９０％）を超えたと判断し、前記所定の使用量を超えたエリアの画像の表示状態を「白抜きの枠で囲まれた表示状態（現在の表示状態）」から「オレンジ色の大きな画像（第１の表示状態）」に変更する。室内空調システム１００が運転されている場合は、制御部２１３は、室内空調システム１００に制御信号を送信し、エアコンの温度を調整して所定の使用量以下になるように、エアコン８を制御する。これにより、ブレーカーが落ちることを回避できる。
【００４７】
また、快・不快判定手段１０により不快と判定された室がある場合、室内空調システム１００は、制御手段１０が通気とエアコンの自動制御を開始したことを、ＦＩ１６０を介して、エネルギーモニターシステム２００に通知する。この通知がされたとき、エネルギーモニターシステム２００の表示部２１１に、室内空調システム１００が自動制御を開始したことを表示する。また、この表示と同時に室内空調システム１００の報知手段２０またはエネルギーモニターシステムのスピーカー２１６により音声にて、室内空調システム１００が自動制御を開始したことを報知するよう設定できる。
【００４８】
また、居住者が強制空調ボタン２１２ｇを押していた場合、制御部２１３は、室内空調システム１００に強制空調ボタン２１２ｇが押された旨の制御信号を送信し、この制御信号を受信した制御手段１０は、エアコンの温度を調整して所定の使用量以下になるように、エアコン８を制御することをしない。その代わりに、アドバイス手段として、制御部２１３は、使用電力・発電電力検出部２０１により検出されるエアコン８の電力使用量を監視し、エアコン８で電力が過剰に使用されていることを検出した際に、表示部２１１およびスピーカー２１６により、居住者に対して節電アドバイスを行う。
【００４９】
エネルギーモニターシステム２００において、制御部（比較手段）２１３は、居住者の操作によって開始された強制空調手段によるエアコン空調に伴う電力使用量と、予め設定された基準値（例えば、ブレーカー容量の９０％）とを比較して、過剰な電力使用量であるかを判定する。過剰な電力使用量であると判定された場合、前記アドバイス手段としての表示部２１１は、前記制御部２１３によって算出された過剰な電力使用量を低減するためのアドバイスを表示する。アドバイスとしては、例えば、「過剰な電力が使用されています。エアコンの設定温度を２６度から２７度に設定してください。温度設定を１度調整すると消費電力を５％程低減することができます。」と表示する。また、表示器２１０のスピーカー２１６により、音声で「過剰な電力が使用されています。エアコンの設定温度を２６度から２７度に設定してください。温度設定を１度調整すると消費電力を５％程低減することができます。」と報知する。
【００５０】
また、表示状態が変更された際に（例えば、第１の表示状態への変更）、通信手段２１５は、上記アドバイスをネットワーク４０を介して情報端末３０に通報する。例えば、「過剰な電力が使用されています。エアコン８の設定温度を２６度から２７度に設定してください。温度設定を１度調整すると消費電力を５％程低減することができます。」というメッセージをネットワーク４０を通じて、予め登録された情報端末３０のメールアドレスにメールで送信する。前記情報端末３０は、ネットワーク４０を介して、前記エネルギーモニターシステム２００の各種動作および前記室内空調システム１００の各種動作を操作可能に設定されている。例えば、前記情報端末３０は、エアコンの設定温度を確認および変更できるように設定されている。
【００５１】
次に、夏季において、本実施の形態の住宅内の室内空調システム１００によって室１の空調を個別に制御する方法の一例について図５に示す表を参照しながら説明する。
初期状態では、外部空気取込手段５、空気引込手段６、空気排気手段７、エアコン８は停止した状態となっている。
まず、制御手段１０は、前記快・不快判定手段１０により不快と判定された場合、前記室内空調システム１００による通気とエアコンの自動制御を開始し、室内空調システム１００の運転が開始したことをエネルギーモニターシステム２００に通知する。これによって、本空調システム１００が運転開始されるとともに、エアコン８がONとなる。これは、制御手段１０から制御ユニット８ａに信号が送信され、この制御ユニット８ａからエアコン８にON信号が送信されることによって行われる。
また、システムの設定温度Ｔsetをリモコン１６の温度ボタン１６ｂによって２８℃に予め設定するとともに、エアコン８の設定温度を、設定温度より低い２７℃に予め設定する。
【００５２】
次に、居住者が強制空調ボタン２１２ｇを押さない場合の室内空調システム１００の動作について説明する。
【００５３】
夏季における室１の下部の温度と天井付近の温度をそれぞれ温度センサ１１，１２が検出し、これら検出値の差によって温度差（上下温度差）を求める。これは前記制御手段１０に、温度センサ１１，１２による検出値が入力されるので、この制御手段１０によってこれら検出値の差を求めることによって行われる。
まず、本実施の形態では、
（１）温度センサ１２によって検出された天井付近の温度が、温度センサ１１によって検出された室内温度より所定温度ｄｔ（例えば３℃）以上高い場合、つまり、天井付近に高温の空気が溜まっている場合に以下のような制御を行う。
【００５４】
（１ａ）室内温度≧Ｔset（２８℃）のとき、制御手段１０が外部空気取込手段５、空気引込手段６、空気排気手段７を運転し、前記エアコン８を停止する。
外部空気取込手段５が送風換気窓枠５である場合、送風孔５ａを開けるとともに、ファンが内蔵されている場合、ファンも作動させる。
また、外部空気取込手段５が自動的に開閉可能な地窓である場合、当該地窓を開ける。
このような制御は、外気温＜Ｔset、外気温≧Ｔsetの双方の場合で行われる。
外気温＜Ｔsetの場合、図５中、状態番号が「７」で「強制空冷」となる。つまり、外気温が設定温度より低いので、天井付近の高温の空気を空気引込手段６によって天井裏１ａに引き込み、さらに、空気排気手段７によって外部に排気するとともに、外部空気取込手段５によって涼しい外気を室１に取り入れる。
外気温≧Ｔsetの場合、図５中、状態番号が「１１」で「強制排熱」となる。つまり、外気温が設定温度以上であるが、天井付近の高温の空気を空気引込手段６によって天井裏１ａに引き込み、さらに、空気排気手段７によって外部に強制的に排気する。一方、外部空気取込手段５によって設定温度以上の外気が室１に取り入れられるが、この外気によって、室内が撹拌されるので、高温の空気の淀みを防止できる。
【００５５】
（１ｂ）室内温度＜Ｔset かつ 外気温＜Ｔsetのとき、制御手段１０が空気排気手段７と外部空気取込手段５を運転し、空気引込手段６とエアコン８を停止する。
このような制御は、図５中、状態番号が「５」で「自然空冷」となる。つまり、外気温が設定温度より低く、かつ、室内温度が設定温度より低いので、空気排気手段７と外部空気取込手段５を運転することによって、涼しい外気を外部空気取込手段５によって取り入れる。また、天井付近の高温の空気は開口部６ｂから天井裏３ａに流入したうえで、空気排気手段７によって外部に排気される。
（１ｃ）室内温度＜Ｔset かつ 外気温≧Ｔsetのとき、制御手段１０が外部空気取込手段５、空気引込手段６、空気排気手段７、エアコン８を停止する。
このような制御は、図５中、状態番号が「９」で「保冷」となる。つまり、室内温度が設定温度より低い一方、外気温が設定温度以上であるので、空気排気手段７と外部空気取込手段５を停止し、外気の侵入を防止して、保冷を行う。
（１ｄ）室内温度≧Ｔsetかつ外気温＜Ｔminのとき、制御手段１０が空気排気手段７と外部空気取込手段５を運転し、空気引込手段６とエアコン８を停止する。
このような制御は、図５中、状態番号が「３」で「自然空冷」となる。つまり、室内温度が設定温度以上である一方、外気温が下限温度（例えば２０℃）より低いので、空気排気手段７と外部空気取込手段５を運転することによって、涼しい外気を外部空気取込手段５によって穏やかに取り入れる。
ここで、Ｔminは、寒さ防止のための下限温度であり、デフォルト値は２０℃に設定される。また、後述するＴmaxは、高温防止のための上限温度であり、デフォルト値は３０℃に設定される。また、Ｔmin＜Ｔset＜Ｔmaxとする。
【００５６】
また、本実施の形態では、
（２）温度センサ１２によって検出された天井付近の温度が、温度センサ１１によって検出された室内温度より所定温度ｄｔ（例えば３℃）高い温度未満の場合において、つまり、トップライト付近に高温の空気があまり溜まっていない場合に以下のような制御を行う。
【００５７】
（２ａ）室内温度≧Ｔsetのとき、制御手段１０が空気排気手段７、外部空気取込手段５、空気引込手段６を運転し、エアコン８を停止する。
このような制御は、外気温＜Ｔset、外気温≧Ｔsetの双方の場合で行われる。
外気温＜Ｔsetの場合、図５中、状態番号が「６」で「強制空冷」となる。つまり、外気温が設定温度より低いので、天井付近の高温の空気を空気引込手段６によって天井裏１ａに引き込み、さらに、空気排気手段７によって外部に排気するとともに、外部空気取込手段５によって涼しい外気を室１に取り入れる。
外気温≧Ｔsetの場合、図５中、状態番号が「１０」で「強制排熱」となる。つまり、
外気温が設定温度以上であるが、天井付近の高温の空気を空気引込手段６によって天井裏１ａに引き込み、さらに、空気排気手段７によって外部に排気する。一方、外部空気取込手段５によって設定温度以上の外気が取り入れられるが、この外気によって、室内が撹拌されるので、高温の空気の淀みを防止できる。
（２ｂ）室内温度＜Ｔsetのとき、制御手段１０が空気排気手段７、外部空気取込手段５、空気引込手段６、エアコン８を停止する。
このような制御は、外気温＜Ｔset、外気温≧Ｔsetの双方の場合で行われる。
外気温＜Ｔsetの場合、図５中、状態番号が「４」で「保冷」となる。つまり、室内温度および外気温の双方が設定温度より低いので、空気排気手段７、外部空気取込手段５、空気引込手段６を停止して、外気の侵入を防止して、保冷を行う。
外気温≧Ｔsetの場合、図５中、状態番号が「８」で「保冷」となる。つまり、室内温度が設定温度より低い一方、外気温が設定温度以上であるので、空気排気手段７、外部空気取込手段５を閉鎖し、外気の侵入を防止して、保冷を行う。
（２ｃ）室内温度≧Ｔsetかつ外気温＜Ｔminのとき、制御手段１０が空気排気手段７、外部空気取込手段５、空気引込手段６を運転し、エアコン８を停止する。
このような制御は、図５中、状態番号が「２」で「強制空冷」となる。つまり、外気温が下限温度より低いので、天井付近の高温の空気を空気引込手段６によって天井裏１ａに引き込み、さらに、空気排気手段７によって外部に排気するとともに、外部空気取込手段５によって涼しい外気を取り入れる。
【００５８】
さらに、本実施の形態では、
（３）室内温度＜Ｔsetかつ外気温＜Ｔminのとき、制御手段１０が空気排気手段７、外部空気取込手段５、空気引込手段６、前記エアコン８を停止する。
このような制御は、図６中、状態番号が「１」で「過冷却防止」となる。つまり、室内温度が設定温度より低く、外気温が下限温度より低いので、空気排気手段７、外部空気取込手段５、空気引込手段６を停止し、外気の侵入を防止して、これ室の過冷却を防止する。
【００５９】
加えて、本実施の形態では、
（４）室内温度≧Ｔmaxかつ外気温≧Ｔsetのとき、制御手段１０が空気排気手段７、外部空気取込手段５、空気引込手段６を停止し、前記エアコン８を運転する。
このような制御は、図５中、状態番号が「１２」で「撹拌冷房」となる。つまり、室内温度が上限温度以上でかつ外気が設定温度以上であるので、制御手段１０が空気排気手段７、外部空気取込手段５を停止、高温の外気の侵入を防止しつつ、エアコン８を下向き送風運転して、室１の空気を撹拌しながら冷房する。
【００６０】
このような空調制御は、室２,３にも同様にして行われる。室２の空調制御の場合、空気引込手段６によって天井裏２ａに引き込んだ空気は、吹出口１４から吹き出されて、室１内を上昇し、室１の空気引込手段６によって天井裏１ａに引き込まれる。したがって、制御手段１０によって、室２の空気引込手段６を運転する場合、これに同期して室１の空気引込手段６を運転する。
【００６１】
上記のように、室内空調システム１００が動作しているときに、居住者が強制空調ボタン２１２ｇを押すと、制御部２１３は、前記室内空調システム１００による通気とエアコンの自動制御を強制終了し、温度設定画面を表示部２１１に表示し、上下左右ボタン２１２ａの操作に従って、任意の設定温度または運転モードでエアコン空調を開始する。温度設定画面には、上下左右ボタン２１２ａの操作に応じて、設定温度が表示され、または、居住者が予め設定した室内環境条件に対応した運転モードが選択可能に表示されている。なお、強制空調ボタン２１２ｇと制御部２１３とは、本発明の強制空調手段に相当する。情報端末３０のタッチパネル画面に、強制空調ボタンを表示し、この強制空調ボタンを押すと、制御部が、前記室内空調システム１００による通気とエアコンの自動制御を強制終了し、温度設定画面を表示部に表示し、上下左右ボタンの操作に従って、任意の設定温度または運転モードでエアコン空調を開始するように構成しもよい。
【００６２】
本実施の形態によれば、前記快・不快判定手段１０により不快と判定された場合前記前記空調システムによる通気とエアコンの自動制御を開始するので、快適な室内環境に近づけることができ、居住者の操作によって、前記室内空調システム１００による通気とエアコンの自動制御を強制終了し、任意の設定温度または運転モードでエアコン空調を開始するので、居住者の要望に応じた室内環境に近づけることができる。
さらに、居住者の操作によって前記強制空調手段２１２，２１３によるエアコン空調が開始され、これに伴って電力が過剰に使用されていることを検出した際に、居住者に対して節電アドバイスを行うので、居住者が取るべき行動をアドバイスすることができる。
さらに、室内環境調整手段２１によって不快と判定された室１，２，３の環境を各室１，２，３毎に調整できるので、居住者にとって、より快適な環境を形成することができる。
【００６３】
また、前記アドバイス手段２１１は、前記比較手段２１３によって算出された過剰な電力使用量を低減するためのアドバイスを提示するので、予め設定された基準値を基準にしてアドバイスを居住者に提供できる。
【００６４】
また、前記複数の比較結果に基づいて、前記外部空気取込手段５と前記空気引込手段６とを、各室１，２，３ごとに制御するともに前記空気排気手段７を制御し、さらに、前記エアコン８を各室１，２，３毎に制御するので、設定温度、室内温度、外気温に基づいて、制御手段１０が外部空気取込手段５、空気引込手段６、空気排気手段７、エアコン８の運転・停止を室１,２,３ごとに制御できる。
【００６５】
また、前記情報端末３０は、前記通知があった場合、前記強制空調手段２１２，２１３によるエアコン空調に伴って電力が過剰に使用されていることを報知する報知手段を備えるので、居住者は前記情報端末３０を所有することにより、電力が過剰に使用されていることを確実に知ることができる。
【００６６】
また、温度および湿度を断続的に取得するので、刻々と変化する建物内部の各室１，２，３の環境を確実に把握でき、居住者にとって、より快適な環境を形成することができる。
【００６７】
また、設定温度、室内温度、外気温に基づいて、制御手段１０が外部空気取込手段５、空気引込手段６、空気排気手段７、エアコン８の運転・停止を室１,２,３ごとに細かく１４段階で制御できる。
また、外部空気取込手段５、空気引込手段６、空気排気手段７、エアコン８の運転・停止を細かく制御するので、省エネとなる。
さらに、室内温度が設定温度以上で、かつ外気温が下限値未満で涼しい場合に、空気排気手段７と外部空気取込手段５を運転し、空気引込手段６とエアコン８を停止するので、室内が自然空冷となり、空気引込手段６とエアコン８が消費する電力を削減でき、省エネとなる。
加えて、室内温度が設定温度以上で、かつ、外気温が下限値未満で涼しい場合に、空気排気手段７、外部空気取込手段５、空気引込手段６を運転し、エアコン８を停止するので、室内が強制空冷となり、エアコンなしでも、室内温度を速やかに設定温度またはそれ以下に近付けることができる。
【００６８】
また、室内温度が設定温度未満で、かつ外気温が下限値未満で涼しい場合に、外部空気取込手段５、空気引込手段６、空気排気手段７、エアコン８を停止するので、室が過冷却されるのを防止できるともに、外部空気取込手段５、空気引込手段６、空気排気手段７、エアコン８が消費する電力を削減でき、省エネとなる。
また、室内温度が上限温度以上で、かつ外気温が設定温度以上のときに、空気排気手段７、外部空気取込手段５、空気引込手段６を停止して室内を密閉し、エアコン８を運転するので、室内を効果的に冷房できる。
さらに、温度センサ（室内温度検出手段）１１がリモコン１６に内蔵されているので、温度センサ専用の設置スペースが必要なく、しかも、温度センサ１１をリモコン１６の筺体によって保護できる。
また、外気温度検出手段１３が１階の床下でかつ風通しのよい場所に設置されているので、正確な外気温度を検出できる。
【００６９】
（変形例）
上記実施の形態においては、室内空調システム１００の制御手段１０とエネルギーモニターシステム２００の制御部２１３をＩＦ１６０で接続して、必要なデータや信号を送受信するように構成したが、これに限られない。室内空調システム１００の制御手段１０とエネルギーモニターシステム２００の制御部２１３を一つの制御手段で構成し、この一つの制御手段で各種センサや各種手段等を制御するようにエネルギー・空調の総合管理システム３００を構築してもよい。この際に、記憶手段２２，２１４と通信手段１９，２１５もそれぞれ一つの記憶手段、通信手段で構成するのが望ましい。
また、上記実施の形態においては、前記エネルギーモニターシステムが、居住者の操作によって、前記室内空調システム１００による通気とエアコンの自動制御を強制終了し、任意の設定温度または運転モードでエアコン空調を開始する強制空調手段２１２，２１３と、居住者の操作によって前記強制空調手段２１２，２１３によるエアコン空調が開始され、これに伴って電力が過剰に使用されていることを検出した際に、居住者に対して節電アドバイスを行うアドバイス手段２１１と、を有することについて説明したが、これに限られない。居住者に対して節電アドバイスを行う一方で、居住者の節電アドバイスに対する操作を学習することで、前記室内空調システム１００による通気とエアコンの自動制御を行うようにしてもよい。
なお、変形例においては、上記実施の形態と同じ部材についての説明を省略する。
【符号の説明】
【００７０】
１,２,３  室
１ａ,２ａ,３ａ  天井裏
５  外部空気取込手段
６  空気引込手段
７  空気排気手段
８  エアコン
１０  制御手段
１１  室内温度検出手段
１２  上方温度検出手段
１３  外気温度検出手段
１７  湿度センサ
１８  人感センサ
１９  通信手段
２０  報知手段
３０  情報端末
４０  ネットワーク
１００  室内空調システム
２００  エネルギーモニターシステム
２０１ 使用電力・発電電力検出部
２０３ ガス使用量検出部
２０５ 水使用量検出部
２０７ パルスカウンター
２１０ 表示器
２１１ 表示部
２１２ 操作部
２１３ 制御部
２１４ 記憶手段
２１５ 通信手段
２１６ スピーカー
３００  エネルギー・空調の総合管理システム
【図１】
0005718803.tif 000002
【図２】
0005718803.tif 000003
【図３】
0005718803.tif 000004
【図４】
0005718803.tif 000005
【図５】
0005718803.tif 000006
【図６】
0005718803.tif 000007
【図７】
0005718803.tif 000008
【図８】
0005718803.tif 000009
【図９】
0005718803.tif 000010
【図１０】
0005718803.tif 000011
【図１１】
0005718803.tif 000012